(57)【要約】【課題】ＲＦＩＤタグを用いて、効率的かつ確実に対象物の廃棄処理管理をおこなうこと。【解決手段】対象物の重量を計量する計量部３０１と、対象物に設けられたＲＦＩＤタグに記録された対象物の重量に関する情報を取得する対象物情報取得部３０２と、計量された重量と、対象物情報取得部３０２によって取得された情報にかかる重量とを比較する重量比較部３０３と、比較された結果に基づいて、対象物の適正を判断する適正判断部３０４と、対象物の外観を撮影する外観撮影部３１０と、対象物の外観が撮影された日時に関する情報を取得する撮影日時情報取得部３１１と、撮影された対象物の外観に関する画像情報と、撮影日時情報取得部３１１によって取得された日時に関する情報とを、対象物情報取得部３０２によって取得された情報に関連付けて記憶する記憶部３０６と、を備える。【選択図】        図３
2006076716.tif 000002
【特許請求の範囲】
【請求項１】
対象物の重量を計量する計量手段と、
前記対象物に設けられたＲＦＩＤ（Ｒａｄｉｏ  Ｆｒｅｑｕｅｎｃｙ  ＩＤ）タグに記録された前記対象物に関する情報であって、当該対象物の重量に関する情報を含む情報を取得する対象物情報取得手段と、
前記計量手段によって計量された重量と、前記対象物情報取得手段によって取得された情報にかかる重量とを比較する比較手段と、
前記比較手段によって比較された結果に基づいて、前記対象物の適正を判断する判断手段と、
を備えたことを特徴とする廃棄処理管理装置。
【請求項２】
対象物の重量を計量する計量手段と有線または無線によって接続され、
前記計量手段によって計量された前記対象物の重量に関する情報を、前記有線または無線を介して取得する計量情報取得手段と、
前記対象物に設けられたＲＦＩＤ（Ｒａｄｉｏ  Ｆｒｅｑｕｅｎｃｙ  ＩＤ）タグに記録された前記対象物に関する情報であって、当該対象物の重量に関する情報を含む情報を取得する対象物情報取得手段と、
前記計量情報取得手段によって取得された重量と、前記対象物情報取得手段によって取得された情報にかかる重量とを比較する比較手段と、
前記比較手段によって比較された結果に基づいて、前記対象物の適正を判断する判断手段と、
を備えたことを特徴とする廃棄処理管理装置。
【請求項３】
前記判断手段によって判断された結果に関する情報を、前記ＲＦＩＤタグに記録する記録手段を備えたことを特徴とする請求項１または２に記載の廃棄処理管理装置。
【請求項４】
前記判断手段によって判断された結果に関する情報を、前記対象物情報取得手段によって取得された情報に関連付けして記憶する記憶手段と、
前記記憶手段に記憶された情報を表示する表示手段と、
を備えたことを特徴とする請求項１または２に記載の廃棄処理管理装置。
【請求項５】
前記判断手段によって判断された結果に関する情報を、前記対象物情報取得手段によって取得された情報に関連付けして記憶する記憶手段と、
前記記憶手段に記憶された情報を出力する出力手段と、
を備えたことを特徴とする請求項１または２に記載の廃棄処理管理装置。
【請求項６】
前記判断手段によって判断された結果に関する情報を、前記対象物情報取得手段によって取得された情報に関連付けして記憶する記憶手段と、
前記記憶手段に記憶された情報を所定の情報処理装置へ送信する送信手段と、
を備えたことを特徴とする請求項１または２に記載の廃棄処理管理装置。
【請求項７】
対象物の外観を撮影する撮影手段と、
前記撮影手段によって前記対象物の外観が撮影された日時に関する情報を取得する撮影日時情報取得手段と、
前記対象物に設けられたＲＦＩＤ（Ｒａｄｉｏ  Ｆｒｅｑｕｅｎｃｙ  ＩＤ）タグに記録された前記対象物に関する情報を取得する対象物情報取得手段と、
前記撮影手段によって撮影された前記対象物の外観に関する画像情報と、前記撮影日時情報取得手段によって取得された日時に関する情報とを、前記対象物情報取得手段によって取得された情報に関連付けて記憶する記憶手段と、
を備えたことを特徴とする廃棄処理管理装置。
【請求項８】
対象物の外観を撮影する撮影手段と有線または無線によって接続され、
前記撮影手段によって撮影された前記対象物の外観に関する画像情報を、前記有線または無線を介して取得する画像情報取得手段と、
前記撮影手段によって前記対象物の外観が撮影された日時に関する情報を取得する撮影日時情報取得手段と、
前記対象物に設けられたＲＦＩＤ（Ｒａｄｉｏ  Ｆｒｅｑｕｅｎｃｙ  ＩＤ）タグに記録された前記対象物に関する情報を取得する対象物情報取得手段と、
前記画像情報取得手段によって取得された前記画像情報と、前記撮影日時情報取得手段によって取得された日時に関する情報とを、前記対象物情報取得手段によって取得された情報に関連付けて記憶する記憶手段と、
を備えたことを特徴とする廃棄処理管理装置。
【請求項９】
前記記憶手段によって記憶された情報を所定の情報処理装置へ送信する送信手段を備えたことを特徴とする請求項７または８に記載の廃棄処理管理装置。
【請求項１０】
前記撮影手段による撮影は、廃棄処理される直前におこなわれることを特徴とする請求項７〜９のいずれか一つに記載の廃棄処理管理装置。
【請求項１１】
前記対象物は、梱包されたまたは所定の容器に収納された廃棄物であることを特徴とする請求項１〜１０のいずれか一つに記載の廃棄処理管理装置。
【請求項１２】
対象物の重量を計量する計量工程と、
前記対象物に設けられたＲＦＩＤ（Ｒａｄｉｏ  Ｆｒｅｑｕｅｎｃｙ  ＩＤ）タグに記録された前記対象物に関する情報であって、当該対象物の重量に関する情報を含む情報を取得する対象物情報取得工程と、
前記計量工程によって計量された重量と、前記対象物情報取得工程によって取得された情報にかかる重量とを比較する比較工程と、
前記比較工程によって比較された結果に基づいて、前記対象物の適正を判断する判断工程と、
を含んだことを特徴とする廃棄処理管理方法。
【請求項１３】
前記判断工程によって判断された結果に関する情報を、前記ＲＦＩＤタグに記録する記録工程を含んだことを特徴とする請求項１２に記載の廃棄処理管理方法。
【請求項１４】
対象物の外観を撮影する撮影工程と、
前記撮影工程によって前記対象物の外観が撮影された日時に関する情報を取得する撮影日時情報取得工程と、
前記対象物に設けられたＲＦＩＤ（Ｒａｄｉｏ  Ｆｒｅｑｕｅｎｃｙ  ＩＤ）タグに記録された前記対象物に関する情報を取得する対象物情報取得工程と、
前記撮影工程によって撮影された前記対象物の外観に関する画像情報と、前記撮影日時情報取得工程によって取得された日時に関する情報とを、前記対象物情報取得工程によって取得された情報に関連付けて登録する登録工程と、
を含んだことを特徴とする廃棄処理管理方法。
【請求項１５】
前記請求項１２〜１４の廃棄処理管理方法のいずれか一つをコンピュータに実行させることを特徴とする廃棄処理管理プログラム。
【発明の詳細な説明】
【技術分野】
【０００１】
この発明は、ＲＦＩＤ（Ｒａｄｉｏ  Ｆｒｅｑｕｅｎｃｙ  ＩＤ）タグを用いて、廃棄の対象となる対象物の処理管理をおこなう廃棄処理管理装置、廃棄処理管理方法および廃棄処理管理プログラムに関する。
【背景技術】
【０００２】
従来、ＲＦＩＤタグに関する技術の進歩および低価格化にともない、ＲＦＩＤタグを用いて、流通する対象物（物品）を管理することが広く考えられてきている。一方、多くの流通過程を経由して最終目的地に到達するまでに、担当者（作業者）の処理ミスなどの過失によりまたは担当者が不正の目的など意図的な処理によって、対象物の重量が変化してしまうことがある。これらを防止するために、経由地点ごとに対象物の重量を測定し、記録・管理する必要があった。特に、対象物が産業廃棄物である場合、運搬過程における不法投棄などが問題となっており、それを防止するために、運搬過程における対象物の重量を管理することは効果的であった。
【発明の開示】
【発明が解決しようとする課題】
【０００３】
しかしながら、上記従来技術にあっては、対象物を個別に計量し、記録するのは担当者（作業者）にとって極めて煩雑であり、計量し忘れ、誤計量、誤記録、さらには記録簿の紛失などの問題が発生するおそれがあり、より適切な重量管理が困難であるという問題点があった。
【０００４】
また、ＲＦＩＤタグを用いることで、適切に重量管理かおこなえたとしても、対象物の最終処分の際には、ＲＦＩＤタグも含めて処分されてしまう。そのため、該当する対象物の処分が適切におこなわれたかについては、ＲＦＩＤタグからは知り得ることができないという問題点があった。
【０００５】
この発明は、上述した従来技術による問題点を解消するため、より簡易な作業により対象物の重量管理および最終処分管理を効率的かつ確実におこなうことが可能な廃棄処理管理装置、廃棄処理管理方法および廃棄処理管理プログラムを提供することを目的とする。
【課題を解決するための手段】
【０００６】
上述した課題を解決し、目的を達成するため、請求項１に記載の発明にかかる廃棄処理管理装置は、対象物の重量を計量する計量手段と、前記対象物に設けられたＲＦＩＤタグに記録された前記対象物に関する情報であって、当該対象物の重量に関する情報を含む情報を取得する対象物情報取得手段と、前記計量手段によって計量された重量と、前記対象物情報取得手段によって取得された情報にかかる重量とを比較する比較手段と、前記比較手段によって比較された結果に基づいて、前記対象物の適正を判断する判断手段と、を備えたことを特徴とする。
【０００７】
また、請求項２に記載の発明にかかる廃棄処理管理装置は、対象物の重量を計量する計量手段と有線または無線によって接続され、前記計量手段によって計量された前記対象物の重量に関する情報を、前記有線または無線を介して取得する計量情報取得手段と、前記対象物に設けられたＲＦＩＤタグに記録された前記対象物に関する情報であって、当該対象物の重量に関する情報を含む情報を取得する対象物情報取得手段と、前記計量情報取得手段によって取得された重量と、前記対象物情報取得手段によって取得された情報にかかる重量とを比較する比較手段と、前記比較手段によって比較された結果に基づいて、前記対象物の適正を判断する判断手段と、を備えたことを特徴とする。
【０００８】
また、請求項３に記載の発明にかかる廃棄処理管理装置は、請求項１または２に記載の発明において、前記判断手段によって判断された結果に関する情報を、前記ＲＦＩＤタグに記録する記録手段を備えたことを特徴とする。
【０００９】
また、請求項４に記載の発明にかかる廃棄処理管理装置は、請求項１または２に記載の発明において、前記判断手段によって判断された結果に関する情報を、前記対象物情報取得手段によって取得された情報に関連付けして記憶する記憶手段と、前記記憶手段に記憶された情報を表示する表示手段と、を備えたことを特徴とする。
【００１０】
また、請求項５に記載の発明にかかる廃棄処理管理装置は、請求項１または２に記載の発明において、前記判断手段によって判断された結果に関する情報を、前記対象物情報取得手段によって取得された情報に関連付けして記憶する記憶手段と、前記記憶手段に記憶された情報を出力する出力手段と、を備えたことを特徴とする。
【００１１】
また、請求項６に記載の発明にかかる廃棄処理管理装置は、請求項１または２に記載の発明において、前記判断手段によって判断された結果に関する情報を、前記対象物情報取得手段によって取得された情報に関連付けして記憶する記憶手段と、前記記憶手段に記憶された情報を所定の情報処理装置へ送信する送信手段と、を備えたことを特徴とする。
【００１２】
また、請求項７に記載の発明にかかる廃棄処理管理装置は、対象物の外観を撮影する撮影手段と、前記撮影手段によって前記対象物の外観が撮影された日時に関する情報を取得する撮影日時情報取得手段と、前記対象物に設けられたＲＦＩＤタグに記録された前記対象物に関する情報を取得する対象物情報取得手段と、前記撮影手段によって撮影された前記対象物の外観に関する画像情報と、前記撮影日時情報取得手段によって取得された日時に関する情報とを、前記対象物情報取得手段によって取得された情報に関連付けて記憶する記憶手段と、を備えたことを特徴とする。
【００１３】
また、請求項８に記載の発明にかかる廃棄処理管理装置は、対象物の外観を撮影する撮影手段と有線または無線によって接続され、前記撮影手段によって撮影された前記対象物の外観に関する画像情報を、前記有線または無線を介して取得する画像情報取得手段と、前記撮影手段によって前記対象物の外観が撮影された日時に関する情報を取得する撮影日時情報取得手段と、前記対象物に設けられたＲＦＩＤタグに記録された前記対象物に関する情報を取得する対象物情報取得手段と、前記画像情報取得手段によって取得された前記画像情報と、前記撮影日時情報取得手段によって取得された日時に関する情報とを、前記対象物情報取得手段によって取得された情報に関連付けて記憶する記憶手段と、を備えたことを特徴とする。
【００１４】
また、請求項９に記載の発明にかかる廃棄処理管理装置は、請求項７または８に記載の発明において、前記記憶手段によって記憶された情報を所定の情報処理装置へ送信する送信手段を備えたことを特徴とする。
【００１５】
また、請求項１０に記載の発明にかかる廃棄処理管理装置は、請求項７〜９のいずれか一つに記載の発明において、前記撮影手段による撮影は、廃棄処理される直前におこなわれることを特徴とする。
【００１６】
また、請求項１１に記載の発明にかかる廃棄処理管理装置は、請求項１〜１０のいずれか一つに記載の発明において、前記対象物が、梱包されたまたは所定の容器に収納された廃棄物であることを特徴とする。
【００１７】
また、請求項１２に記載の発明にかかる廃棄処理管理方法は、対象物の重量を計量する計量工程と、前記対象物に設けられたＲＦＩＤタグに記録された前記対象物に関する情報であって、当該対象物の重量に関する情報を含む情報を取得する対象物情報取得工程と、前記計量工程によって計量された重量と、前記対象物情報取得工程によって取得された情報にかかる重量とを比較する比較工程と、前記比較工程によって比較された結果に基づいて、前記対象物の適正を判断する判断工程と、を含んだことを特徴とする。
【００１８】
また、請求項１３に記載の発明にかかる廃棄処理管理方法は、請求項１２に記載の発明において、前記判断工程によって判断された結果に関する情報を、前記ＲＦＩＤタグに記録する記録工程を含んだことを特徴とする。
【００１９】
また、請求項１４に記載の発明にかかる廃棄処理管理方法は、対象物の外観を撮影する撮影工程と、前記撮影工程によって前記対象物の外観が撮影された日時に関する情報を取得する撮影日時情報取得工程と、前記対象物に設けられたＲＦＩＤタグに記録された前記対象物に関する情報を取得する対象物情報取得工程と、前記撮影工程によって撮影された前記対象物の外観に関する画像情報と、前記撮影日時情報取得工程によって取得された日時に関する情報とを、前記対象物情報取得工程によって取得された情報に関連付けて登録する登録工程と、を含んだことを特徴とする。
【００２０】
また、請求項１５に記載の発明にかかる廃棄処理管理プログラムは、請求項１２〜１４の廃棄処理管理方法のいずれか一つをコンピュータに実行させることを特徴とする。
【発明の効果】
【００２１】
本発明によれば、より簡易な作業で対象物の重量管理を効率的かつ確実におこなうことができ、対象物の健全な流通を維持することが可能な廃棄処理管理装置、廃棄処理管理方法および廃棄処理管理プログラムが得られるという効果を奏する。
【発明を実施するための最良の形態】
【００２２】
以下に添付図面を参照して、この発明にかかる廃棄処理管理装置、廃棄処理管理方法および廃棄処理管理プログラムの好適な実施の形態を詳細に説明する。
【００２３】
（システムの概要）
まず、この発明にかかる廃棄処理管理装置を含む全体システムの概要について説明する。図１は、本発明の実施の形態にかかる廃棄処理管理システムの概要を示すブロック図である。図１において、廃棄処理管理システムは、サーバ１０１と、廃棄処理管理装置１０２ａ，１０２ｂ，１０２ｃと、運搬車両１０３と、処理場１０４とを含む構成であり、それぞれがネットワーク１００によって接続されている。また、１１０は廃棄の対象となる対象物であり、１１１は、対象物に設けられたＲＦＩＤ（Ｒａｄｉｏ  Ｆｒｅｑｕｅｎｃｙ  ＩＤ）タグ（無線ＩＣタグ）である。
【００２４】
サーバ１０１は、廃棄処理管理システム全体の制御を司る。載置型の廃棄処理管理装置１０２ａは、対象物１１０を載置することによってその重量を計量し、計量された重量と、対象物１１０に設けられたＲＦＩＤタグ１１１に記録された重量を比較し、訂正を判断する。さらに、判断結果およびＲＦＩＤタグ１１１のＩＤナンバー、計量された重量、計量された日時、計量された場所のそれぞれに関する情報をネットワーク１００を介してサーバ１０１へ送信する。あるいは、上記各情報は、着脱可能な記録媒体（図示を省略）を介して、サーバ１０１へ入力させるようにしてもよい。
【００２５】
つり下げ型の廃棄処理管理装置１０２ｂは、対象物１１０をつり下げて運搬車両１０３に荷積みする際に対象物１１０の重量を計量し、載置型の廃棄処理管理装置１０２ａと同様に、対象物１１０に設けられたＲＦＩＤタグ１１１に記録する。さらに、ＲＦＩＤタグ１１１のＩＤナンバー、計量された重量、計量された日時、計量された場所のそれぞれに関する情報をネットワーク１００を介してサーバ１０１へ送信する。あるいは、上記各情報は、着脱可能な記録媒体（図示を省略）を介して、サーバ１０１へ入力されるようにしてもよい。
【００２６】
シート型の廃棄処理管理装置１０２ｃは、運搬車両１０３の荷台の入口付近に設けられており、対象物１１０を運搬車両１０３に荷積みして、シート型の廃棄処理管理装置１０２ｃ上に乗せた際に、当該対象物１１０の重量を計量することができる。そして、廃棄処理管理装置１０２ａ、１０２ｂと同様に、対象物１１０に設けられたＲＦＩＤタグ１１１に記録する。さらに、ＲＦＩＤタグ１１１のＩＤナンバー、計量された重量、計量された日時、計量された場所のそれぞれに関する情報をネットワーク１００を介してサーバ１０１へ送信する。あるいは、上記各情報は、着脱可能な記録媒体（図示を省略）を介して、サーバ１０１へ入力されるようにしてもよい。
【００２７】
処理場１０４においても上記廃棄処理管理装置１０２ａ〜１０２ｃのいずれかと同様の廃棄処理管理装置を備えており、運搬されてきた対象物１１０の重量を計量する。そして、サーバ１０１から当該対象物１１０の重量に関する情報の経緯を確認した後、対象物１１０に問題（不正行為など）がなかった場合に、当該対象物１１０の廃棄処理（焼却など）を実行する。なお、各廃棄処理管理装置１０２ａ〜１０２ｃの具体的な内容および処理場１０４における廃棄処理管理装置の具体的な内容については後述する。
【００２８】
また、対象物１１０は、たとえば医療用産業廃棄物などの廃棄物であって、梱包または所定の容器に収容されたものがあげられる。対象物１１０、すなわち廃棄物の梱包あるいは廃棄物が収容された容器の所定の位置には、ＲＦＩＤタグ１１１が貼り付けなどによって設けられている。
【００２９】
ＲＦＩＤタグ１１１は、たとえば、情報を記録する小型のＩＣチップと、金属製のアンテナで構成する。ＩＣはたとえば０．１ミリ〜数ミリ角の大きさである。ＩＣは１０数バイト〜数Ｋバイトのメモリとロジック回路を備え、無線通信によってデータの読み取りや書き込みができる。ロジック回路によって、演算、認証、暗号化などの処理もできる。ＲＦＩＤタグ１１１は、電池を内蔵していてもよく、また内蔵していなくてもよい。ＲＦＩＤタグ１１１に電池を内蔵すれば、ＲＦＩＤタグ１１１から能動的に情報を発信することができる。一つひとつの対象物に対して固有のＩＤを付与することができ、ある程度離れた場所から複数のもののＩＤを一括して読み書きできる。したがって、対象物１１０の位置と数量を正確に把握できる。
【００３０】
（廃棄処理管理装置のハードウエア構成）
図２は、本実施の形態にかかる廃棄処理管理装置のハードウエア構成を示すブロック図である。図２において、この廃棄処理管理装置１０２ａ〜１０２ｃは、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、Ｒ／Ｗ（リーダー／ライター）２０９と、Ｉ／Ｆ（インタフェース）２１０と、操作ボタン２１１と、重量センサ２１２と、時計２１３と、ＧＰＳ２１４と、プリンタ２１５と、カメラ２１６を備えている。そして、上記各構成部はバス２００によってそれぞれ接続されている。
【００３１】
ＣＰＵ２０１は、廃棄処理管理装置１０２ａ〜１０２ｃの全体の制御を司る。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３２】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶したり、ＦＤ２０７に記録されたデータを情報処理装置へ読み取らせたりする。着脱可能な記録媒体として、ＦＤ２０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリカードなどであってもよい。ディスプレイ２０８は、文書、画像、機能情報などのデータを表示する。たとえば、ＴＦＴ液晶ディスプレイのほか、ＣＲＴやプラズマディスプレイなどであってもよい。
【００３３】
Ｒ／Ｗ２０９は、ＲＦＩＤタグ１１１に対して、データの読み出し／書き込みをおこなう。通信距離は約数ｃｍから２ｍであり、無線周波数はたとえば、１３．５６ＭＨｚ（電磁誘導方式）と２．４５ＧＨｚ（マイクロ波方式）である。電磁誘導方式は、Ｒ／Ｗ２０９のコイルに電流を流して発生させた磁界で、無線ＩＣタグが持つコイル状のアンテナに電流を発生させ、ＩＣチップを動かす。マイクロ波方式は、Ｒ／Ｗ２０９のアンテナから発生させた電波を無線ＩＣタグのアンテナで受け取るようにする。
【００３４】
Ｉ／Ｆ（インタフェース）２１０は、通信回線を通じてネットワーク１００に接続され、ネットワーク１００を介して、サーバ、他の情報処理装置、各種データベースなどに接続される。そして、Ｉ／Ｆ２１０は、ネットワーク１００と装置内部とのインタフェースを司り、前記サーバ、他の情報処理装置、各種データベースからのデータの入出力を制御する。Ｉ／Ｆ２１０は、たとえばモデムやＬＡＮアダプタなどである。またＩ／Ｆ２１０は、ＵＳＢなどの外部入出力としても用いることができる。
【００３５】
操作ボタン２１１は、電源スイッチ、データの送受信、各種データの入力・設定などに用いる。また、重量センサ２１２は、載置されまたはつり下げられた対象物１１０の重量を検出する。また、時計２１３は、現在時刻を計時し、計量がおこなわれた時刻を出力する。
【００３６】
ＧＰＳ２１４は、廃棄処理管理装置１０２ａ〜１０２ｃが存在する位置を検出し、出力する。具体的には、ＧＰＳ２１４は、ＧＰＳ衛星からの電波を受信し、ＧＰＳ衛星との幾何学的位置を求めるものであり、地球上どこでも計測可能である。電波としては、１．５７５．４２ＭＨｚの搬送波で、Ｃ／Ａ（Ｃｏａｒｓｅ  ａｎｄ  Ａｃｃｅｓｓ）コードおよび航法メッセージが乗っているＬ１電波を用いておこなわれる。Ｃ／Ａコードはビット率１．０２３Ｍｂｐｓで、コードの長さは１０２３ｂｉｔ＝１ｍｓである。また、航法メッセージはビット率５０ｂｐｓで、コードの長さは、サブフレームが３００ｂｉｔ＝６ｓであり、メインフレームが１５００ｂｉｔ＝３０ｓであり、５サブフレームが１メインフレームであり、２５メインフレームが１マスターフレームである。
【００３７】
また、プリンタ２１５は、各種情報（ＩＤ、重量情報、日付情報、場所情報など）を印刷する。たとえば、サーマルプリンタ、インクジェットプリンタなどである。印刷紙としてはたとえばロール紙が装着され、またロール紙を切断するカッター部材もあわせて設けられていてもよい。
【００３８】
また、カメラ２１６は、対象物１１０の外観を撮影する。たとえば、ディジタルスチルカメラ、ディジタルビデオカメラなどである。
【００３９】
（廃棄処理管理装置の機能的構成）
つぎに、廃棄処理管理装置の機能的構成について説明する。図３は、本実施の形態にかかる廃棄処理管理装置の機能的構成の一例を示すブロック図である。図３において、本実施の形態にかかる廃棄処理管理装置１０２ａ〜１０２ｃは、計量部３０１と、対象物情報取得部３０２と、重量比較部３０３と、適正判断部３０４と、記録部３０５と、記憶部３０６と、表示部３０７と、出力部３０８と、送信部３０９と、外観撮影部３１０と、撮影日時情報取得部３１１と、を含む構成となっている。また、計量部３０１は、対象物載置部３５１または対象物つり下げ部３５２の少なくともいずれかを備えている。
【００４０】
ここで、計量部３０１は、対象物１１０の重量を計量する。対象物１１０は、たとえば、梱包されたまたは所定の容器に収納された廃棄物である。重量を計量する場合は容器なども含めて計量する。容器などの重量はあらかじめわかっているので、廃棄物のみの重量は容易に算出することができる。計量部３０１は、具体的には、たとえば図２に示した重量センサ２１２によってその機能を実現する。
【００４１】
対象物情報取得部３０２は、対象物１１０に設けられたＲＦＩＤタグ１１１に記録された対象物１１０に関する情報であって、対象物１１０の重量に関する情報を含む情報を取得する。対象物情報取得部３０２は、具体的には、たとえば図２に示したＲ／Ｗ２０９によってその機能を実現する。
【００４２】
重量比較部３０３は、計量部３０１によって計量された重量と、対象物情報取得部３０２によって取得された情報にかかる重量とを比較する。重量比較部３０３は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００４３】
適正判断部３０４は、重量比較部３０３によって比較された結果に基づいて、対象物１１０の適正を判断する。訂正判断の方法として、前回計量した重量と今回計量した重量とが所定範囲の誤差である場合は適正であると判断する。また、対象物には水分を含むものも含まれ、時間が経過するにしたがって、重量が減少する場合がある。その場合も考慮し、誤差の範囲を特定する。その際、対象物の種別ごとに誤差の範囲を特定するようにしてもよい。また、通常、前回計量した重量よりも重くなることは考え難いため、その場合には、不適と判断するとよい。ただし、適正であるか否かの判断は上記例には限らず、他の判断基準があってもよい。
【００４４】
適正判断部３０４は、具体的には、たとえば図２に示したＲＯＭ２０２、ＲＡＭ２０３、ＨＤ２０５、ＦＤ２０７に記憶されたプログラムをＣＰＵ２０１が実行することによってその機能を実現する。
【００４５】
記録部３０５は、適正判断部３０４によって判断された結果に関する情報を、ＲＦＩＤタグ１１１に記録する。記録部３０５は、具体的には、たとえば図２に示したＲ／Ｗ（リーダー／ライター）２０９によってその機能を実現する。
【００４６】
記憶部３０６は、適正判断部３０４によって判断された結果に関する情報を、対象物情報取得部３０２によって取得された情報に関連付けして記憶する。記憶部３０６は、具体的には、たとえば図２に示したＲＡＭ２０３、ＨＤ２０５、ＦＤ２０７などによってその機能を実現する。記憶部３０６に記憶される情報の具体的内容については、後述する（図４を参照）。
【００４７】
表示部３０７は、記憶部３０６に記憶された情報を表示する。計量中の対象物１１０の重量、計量日時、計量場所に関する情報だけでなく、すでに計量済みの対象物１１０の情報も表示することができる。また、対象物１１０に設けられたＲＦＩＤタグ１１１が読み取れなかった場合の警告情報もあわせて表示するようにしてもよい。表示部３０７は、具体的には、たとえば図２に示すディスプレイ２０８によってその機能を実現する。
【００４８】
出力部３０８は、記憶部３０６に記憶された情報を出力する。すなわち、着脱可能な記憶媒体に対象物１１０の重量、計量日時、計量場所に関する情報を記録したり、あるいは対象物１１０の重量、計量日時、計量場所に関する情報を印刷したりする。出力部３０８は、具体的には、たとえば図２に示すＦＤＤ２０６、プリンタ２１５によってその機能を実現する。
【００４９】
送信部３０９は、記憶部３０６に記憶された情報を所定の情報処理装置、たとえばサーバ１０１へネットワーク１００を介して送信する。送信部３０９は、具体的には、たとえば図２に示すＩ／Ｆ２１０によってその機能を実現する。
【００５０】
外観撮影部３１０は、対象物１１０の外観を撮影する。撮影は、静止画の撮影であってもよく、また動画の撮影であってもよい。具体的には、たとえば図２に示すカメラ２１６などによってその機能を実現する。
【００５１】
撮影日時情報取得部３１１は、外観撮影部３１０によって対象物１１０の外観が撮影された日時に関する情報を取得する。撮影日時情報取得部３１１は、具体的には、たとえば図２に示した時計２１３によってその機能を実現する。
【００５２】
また、計量部３０１が備えている対象物載置部３５１は、対象物１１０を載置する。具体的には、たとえば、後述する図１０に示す荷台面１００１に相当する。また、対象物載置部３５１は、シート状部材から構成されていてもよい。シート状部材は、具体的には、革製、布製、ビニール製などである。そして、計量部３０１は、対象物載置部３５１に載置された対象物１１０の重量を計量する。
【００５３】
また、計量部３０１が備えている対象物つり下げ部３５２は、対象物１１０をつり下げる。具体的には後述する図１１に示すフック１１０２に相当する。そして、計量部３０１は、対象物つり下げ部３５２に載置された対象物１１０の重量を計量する。
【００５４】
さらに、図示は省略するが、計量部３０１によって対象物１１０の重量が計量された日時に関する情報を取得する計量日時情報取得部を備えていてもよい。計量日時情報取得部は、具体的には、たとえば図２に示した時計２１３によってその機能を実現する。そして、記録部３０５は、計量部３０１によって計量された重量に関する情報および計量日時情報取得部によって取得された日時に関する情報を、対象物１１０に設けられたＲＦＩＤタグ１１１に記録することができる。
【００５５】
また、計量部３０１によって対象物１１０の重量が計量された場所に関する情報を取得する計量場所情報取得部を備えていてもよい。計量場所情報取得部は、具体的には、たとえば図２に示したＧＰＳ２１４によってその機能を実現する。そして、記録部３０５は、計量場所情報取得部によって取得された場所に関する情報を対象物１１０に設けられたＲＦＩＤタグ１１１に記録することができる。
【００５６】
（記憶部に記憶されるデータ構成）
つぎに、記憶部３０６に記憶されるデータのデータ構成について説明する。図４は、本実施の形態にかかる廃棄処理管理装置の記憶部に記憶されるデータ構成の一例を示す説明図である。
【００５７】
図４において、記憶部３０６に記憶されるデータは、対象物１１０に設けられたＲＦＩＤタグ１１１から読み取られたデータとして、対象物１１０に設けられたＲＦＩＤタグ１１１の「ＩＤ」ナンバー、前回以前に計量された「日付」、計量された「時刻」、計量された対象物１１０の「重量」、「種別」、「計量場所」からなる。また、計量部３０１によって計量された「重量」、さらには、計量部３０１によって計量された「日付」、「時刻」、「計量場所」からなる。そして、適正判断部３０４によって判断された「適正」についても記憶する。
【００５８】
「計量場所」には、ＧＰＳ２１４によって取得した緯度経度情報に基づいて、あらかじめ登録された緯度経度と関連付けられた地域情報（施設名など）を記憶する。したがって、単に緯度経度情報のみを記憶するようにしてもよい。
【００５９】
「適正」欄には、計量された重量が前回の重量と比較して適正である場合は『適』、適正でない場合は『否』が記憶する。
【００６０】
記憶部３０６に記憶されたこれらのデータは、記憶容量がいっぱいになるまで記憶しておき、いっぱいになった時点で古いデータから消去してもよく、また、データの改竄を防止するために、データをサーバ１０１へ送信した時点で消去するようにしてもよい。あるいは、対象物１１０が処理場で完全に処分されたことについて、処理場１０４からあるいはサーバ１０１から通知を受け、それに応じてデータを消去するようにしてもよい。
【００６１】
（ＲＦＩＤタグに記録されるデータ構成）
つぎに、ＲＦＩＤタグ１１１に記録されるデータのデータ構成について説明する。図５は、ＲＦＩＤタグ１１１に記録されるデータのデータ構成の一例を示す説明図である。
【００６２】
図５において、ＲＦＩＤタグ１１１に記録されるデータは、記録部３０５によって記録されたデータであって、前回以前に計量された「日付」、計量された「時刻」、計量された対象物１１０の「重量」、「計量場所」、そして適正判断部３０４によって判断された「適正」の各データからなる。これらの各データは、対象物１１０が計量されるたびに計量履歴情報としてその都度記録される。そして、次回の計量の際の適正判断の参照データとなる。
【００６３】
図５にあっては、第１回目の計量（２００４／６／１２，１３：２０）において、重量が『１４．３２ｋｇ』であり、第２回目の計量（２００４／６／１３，９：１５）において、重量が『１３．９８ｋｇ』であったため、この回の適正は『適』となっている。これに対し、第３回目の計量（２００４／６／１３，１５：４２）において、重量が『８．２５ｋｇ』であったため、第１回目、第２回目と比較して、重量の減少が大きいため、適正が『否』となっている。
【００６４】
そして、上記の場合に、第４回目の計量は、おこなわないようにしてもよく、また、第３回目の計量の結果を採用せずに、第２回目の計量の結果に基づいて、または第１回目の計量の結果と第２回目の計量の結果とに基づいて、第４回目の計量の適正を判断するようにしてもよい。
【００６５】
（廃棄処理管理装置の処理手順）
図６は、本実施の形態にかかる廃棄処理管理装置の処理の手順を示すフローチャートである。図６のフローチャートにおいて、まず、対象物１１０が対象物載置部３５１に載置されたかまたは対象物つり下げ部３５２につり下げられたか否かを判断する（ステップＳ６０１）。ここで、載置されまたはつり下げられるのを待って、載置された場合またはつり下げられた場合（ステップＳ６０１：Ｙｅｓ）は、当該対象物１１０の重量の計量処理を実行する（ステップＳ６０２）。
【００６６】
ステップＳ６０２の計量処理にともなって、ＲＦＩＤタグ１１１を読み取り、当該対象物１１０に関する情報（たとえばＩＤナンバーなど）を取得する（ステップＳ６０３）。ここで、ＲＦＩＤタグ１１１の読み取りに成功したか否かを判断し（ステップＳ６０４）、読み取りに失敗した場合（ステップＳ６０４：Ｎｏ）は、ＲＦＩＤタグ１１１が読み取ることができなかった旨のエラーを表示し（ステップＳ６０５）、一連の処理を終了する。
【００６７】
一方、ステップＳ６０４において、ＲＦＩＤタグ１１１の読み取りに成功した場合（ステップＳ６０４：Ｙｅｓ）は、少なくとも重量に関する情報を取得する（ステップＳ６０６）。その際、必要に応じて日時に関する情報、場所に関する情報などを取得する。
【００６８】
その後、計量した重量に関する情報と取得した重量に関する情報とを比較し（ステップＳ６０７）、比較結果に基づいて、当該対象物の重量の適正について判断する（ステップＳ６０８）。その後、判断結果、計量された重量、日時、場所情報などをＲＦＩＤタグ１１１へ書き込むとともに（ステップＳ６０９）、当該情報（データ）を記憶部３０６に記憶する（ステップＳ６１０）。ＲＦＩＤタグ１１１への書き込みと記憶部３０６への記憶はどちらを先におこなってもよい。したがって、まずデータを記憶部３０６に記憶し、その後、記憶されたデータをＲＦＩＤタグ１１１へ書き込むようにしてもよい。
【００６９】
そして、記憶されたデータを所定の表示画面に表示し（ステップＳ６１１）、あるいは送信部３０９を備えている場合は当該データを所定のサーバ１０１へネットワーク１００を介して送信する（ステップＳ６１２）。さらに、当該データの出力要求があったか否かを判断し（ステップＳ６１３）、出力要求があった場合（ステップＳ６１３：Ｙｅｓ）は、当該データの出力をおこない（ステップＳ６１４）、一連の処理を終了する。
【００７０】
また、図７は、本実施の形態にかかる廃棄処理管理装置の処理の別の手順を示すフローチャートである。図７のフローチャートにおいて、対象物１１０が、処理場１０４の所定の位置（たとえば廃棄直前の位置）に達したか否かを判断する（ステップＳ７０１）。ここで、所定の位置に達するのを待って、達した場合（ステップＳ７０１：Ｙｅｓ）は、当該対象物１１０の外観を撮影する（ステップＳ７０２）とともに、当該対象物１１０に設けられたＲＦＩＤタグ１１１を読み取る（ステップＳ７０３）。
【００７１】
そして、ＲＦＩＤタグの読み取りが成功したか否かを判断する（ステップＳ７０４）。ここで、読み取りに失敗した場合（ステップＳ７０４：Ｎｏ）は、図６に示したステップＳ６０５へ移行する。そして、読み取りに失敗した対象物１１０は、廃棄処理を中止するようにしてもよい。一方、読み取りに成功した場合（ステップＳ７０４：Ｙｅｓ）は、読み取られたＩＤナンバーに画像情報を関連付けして記憶し（ステップＳ７０５）、その後、図６に示したステップＳ６１１へ移行する。
【００７２】
上記のフローチャートにおいて、対象物１１０の外観の撮影（ステップＳ７０２）と、ＲＦＩＤタグ１１１の読み取り（ステップＳ７０３）とは、どちらを先におこなってもよい。したがって、まずＲＦＩＤタグ１１１の読み取りをおこない、その後、対象物１１０の撮影をおこなうようにしてもよい。したがって、ＲＦＩＤタグ１１１の読み取りが成功した場合（ステップＳ７０４：Ｙｅｓ）に、対象物１１０の外観の撮影をおこなうようにしてもよい。
【００７３】
（廃棄処理管理装置の別の機能的構成および処理手順）
つぎに、廃棄処理管理装置の別の機能的構成およびその処理手順について説明する。図８は、本実施の形態にかかる廃棄処理管理装置の機能的構成の別の一例を示すブロック図である。
【００７４】
図８において、本実施の形態にかかる廃棄処理管理装置１０２ａ〜１０２ｃは、計量情報取得部８０１と、対象物情報取得部３０２と、重量比較部３０３と、適正判断部３０４と、記録部３０５と、記憶部３０６と、表示部３０７と、出力部３０８と、送信部３０９と、画像情報取得部８０２と、撮影日時情報取得部３１１と、を含む構成となっている。
【００７５】
すなわち、図３に示した廃棄処理管理装置１０２ａ〜１０２ｃの機能的構成とは、計量部３０１を備えていない点および外観撮影部３１０を備えていない点で相違する。したがって、他の計量装置（図示を省略）によって対象物１１０の計量をおこない、計量された情報を計量情報取得部８０１が取得する。また、他の外観撮影装置（図示を省略）によって対象物１１０の外観を撮影し、撮影された画像情報を画像情報取得部８０２が取得する。その他の構成については図３に示した廃棄処理管理装置１０２ａ〜１０２ｃと同一であり、同一の符号を付してその説明を省略する。
【００７６】
ここで、計量情報取得部８０１は、対象物１１０の重量を計量する上記他の計量装置と有線または無線（図示を省略）によって接続され、当該他の計量装置によって計量された対象物１１０の重量に関する情報を、前記有線または無線を介して取得する。計量情報取得部８０１は、具体的には、たとえばＩ／Ｆ２１０によってその機能を実現する。また、ＵＳＢなどの有線や、Ｂｌｕｅｔｏｏｔｈなどの無線によって上記他の計量装置と接続するようにしてもよい。
【００７７】
画像情報取得部８０２は、対象物１１０の外観を撮影する上記他の外観撮影装置と有線または無線（図示を省略）によって接続され、当該他の外観撮影装置によって撮影された対象物１１０の画像情報を、前記有線または無線を介して取得する。取得する画像情報は、静止画像に関する情報でもよく、また動画像に関する情報であってもよい。画像情報取得部８０２は、具体的には、たとえばＩ／Ｆ２１０によってその機能を実現する。また、ＵＳＢなどの有線や、Ｂｌｕｅｔｏｏｔｈなどの無線によって上記他の計量装置と接続するようにしてもよい。
【００７８】
また、図９は、本実施の形態にかかる廃棄処理管理装置の処理の別の手順を示すフローチャートである。図９のフローチャートにおいて、まず、上記他の計量装置から対象物１１０の計量情報について入力があったか否かを判断する（ステップＳ９０１）。ここで、入力があるのを待って、入力があった場合（ステップＳ９０１：Ｙｅｓ）は、図６のステップＳ６０３へ移行し、ＲＦＩＤタグ１１１を読み取り、当該対象物１１０に関する情報（たとえばＩＤナンバーなど）を取得する（ステップＳ６０３）。以降は、図６と同様であるので、その説明は省略する。
【００７９】
（廃棄処理管理装置の外観）
つぎに、廃棄処理管理装置の外観について説明する。図１０〜図１５は、本実施の形態にかかる廃棄処理管理装置の外観の一例を示す説明図である。図１０において、廃棄処理管理装置１０２ａは、荷台面１００１と、Ｒ／Ｗ１００２と、Ｒ／Ｗ支持部１００３と、表示画面１００４と、操作ボタン１００５と、を含む構成となっている。対象物１１０を荷台面１００１に乗せると荷台面１００１にかかる重量を内蔵された重量センサ２１２（図示を省略）によって検出する。
【００８０】
検出された重量は、表示画面１００４に表示するとともに、内蔵されたメモリ（図示を省略）に記憶し、さらに、Ｒ／Ｗ１００２によって対象物１１０に設けられたＲＦＩＤタグ１１１に書き込みがおこなわれる。図１０においてＲ／Ｗ１００２は、Ｒ／Ｗ支持部１００３に３つ備えられている。縦方向に３つ並んで備えられているのは、対象物１１０を荷台面１００１に３つ重ねて乗せた場合に、各対象物１１０にそれぞれ同時にデータの書き込みをおこなうことができるためである。
【００８１】
担当者（作業者）は、まず１つ目の対象物１１０を荷台面１００１に乗せる。その際、重量センサ２１２が１つ目の対象物１１０の重量を計量（検出）する。つぎに、担当者（操作者）は、２つ目の対象物１１０を１つ目の対象物１１０の上に重ねて乗せる。その際、重量センサ２１２は、１つ目と２つ目の対象物１１０の総重量を計量（検出）する。そして、総重量から１つ目の重量を減算することで２つ目の重量を算出する。３つ目の重量も同様の方法で算出することができる。
【００８２】
Ｒ／Ｗ１００２の数は３つに限定されるものではなく、対象物１１０の大きさ、予想重量などによって最適な数を設定するとよい。また、対象物１１０の大きさ、形状などに適応させるため、Ｒ／Ｗ支持部１００３が伸縮してもよく、また、Ｒ／Ｗ１００２の位置を可動にしてもよい。さらに、複数の対象物１１０を積み重ねて計量する場合であっても、あらかじめ各対象物１１０のＲＦＩＤタグ１１１の各ＩＤナンバーを取得し、一つのＲ／Ｗ１００２によって、複数の対象物１１０のＲＦＩＤタグ１１１に対して一括して書き込むような構成としてもよい。
【００８３】
図１１において、廃棄処理管理装置１０２ｂは、取手部１１０１と、フック１１０２と、バネ部材１１０３と、内蔵Ｒ／Ｗ１１０４と、を含む構成となっている。担当者（操作者）は、フック１１０２を対象物１１０の所定箇所に引っかけるように固定し、取手部１１０１を掌握し持ち上げることで、対象物１１０をつり下げる。その際、フック１１０２が対象物１１０の重さで下方向に移動しようとする力に対応してバネ部材１１０３が伸張する。図示を省略する重量センサ２１２は、この際のフック１１０２およびバネ部材１１０３にかかる力を検出して対象物１１０の重量を計量する。
【００８４】
そして、検出された重量は、表示画面（図示を省略）に表示するとともに、内蔵されたメモリ（図示を省略）に記憶し、さらに、内蔵Ｒ／Ｗ１１０４によって対象物１１０に設けられたＲＦＩＤタグ１１１に書き込みがおこなわれる。対象物１１０の形状、大きさ、重さによっては、担当者（操作者）は、同一形状の廃棄処理管理装置１０２ｂを２つ用いることもできる。
【００８５】
その場合、担当者（操作者）は、２つの廃棄処理管理装置１０２ｂを一つの対象物１１０の所定の箇所に引っかけて固定し、両手でそれぞれの廃棄処理管理装置１０２ｂの取手部１１０１を掌握して持ち上げる。その際、対象物１１０の重量は、２つの廃棄処理管理装置１０２ｂに分散してしまうので、２つの廃棄処理管理装置１０２ｂ間を有線または無線によって接続し、分散した重量の総和を当該対象物１１０の重量とするように計算処理をするとよい。
【００８６】
このように、廃棄処理管理装置１０２ｂをつり下げ型としたので、担当者（操作者）はこの廃棄処理管理装置１０２ｂを用いて、対象物１１０をつり下げて運搬するだけで、別途特別な操作をすることなく、重量が計量され、計量された重量に関する情報が対象物１１０に設けられたＲＦＩＤタグ１１１に記録されることになる。
【００８７】
図１２において、廃棄処理管理装置１０２ｃは、シート自体が計量器になっており、シートの所定位置に複数のＲ／Ｗ１２０１と表示画面１２０２が設けられている。対象物１１０をシートに乗せるとシートにかかる重量を内蔵された重量センサ２１２（図示を省略）によって検出する。検出された重量は、表示画面１２０２に表示するとともに、内蔵されたメモリ（図示を省略）に記憶し、さらに、Ｒ／Ｗ１２０１によって対象物１１０に設けられたＲＦＩＤタグ１１１に書き込みがおこなわれる。
【００８８】
図１３は、図１２で示した廃棄処理管理装置の使用形態の一例を示す説明図である。図１３に示すように、対象物１１０を運搬車両１０３に積む際は、通常、２名以上の担当者（作業者）１３０１が作業をおこなう。すなわち、荷台の入口付近に対象物１１０を乗せる担当と、荷台の入口付近に乗せられた対象物１１０を荷台の奥へ移動させる担当である。このような作業においては、対象物１１０は一度は必ず荷台の入口付近に置かれるため、ここにシート型の廃棄処理管理装置１０２ｃを設けることで、対象物１１０を計量するために、担当者（作業者）に別の作業を強いることはない。
【００８９】
図１４および図１５は、処理場１０４に設けられた廃棄処理管理装置の一例である。図１４において、１４０１は最終処分装置（たとえば焼却炉や溶解炉など）の投入口であり、１４０２は、対象物１１０を投入口１４０１まで搬送するベルトコンベアであり、１４０３は、ベルトコンベア１４０２によって搬送され、投入口１４０１に投入される直前の対象物の外観を撮影する撮影装置であり、１４０４は、Ｒ／Ｗである。撮影装置１４０３およびＲ／Ｗ１４０４の少なくともいずれかには、さらに、現在地の位置を検知する位置検出装置（ＧＰＳなど）を備えていてもよい。
【００９０】
また、図１５において、画像表示装置１５００において、１５０１は、図１４に示した撮影装置１４０３で撮影した画像を表示する表示部であり、１５０２は、画像表示装置１５００および図１４に示したベルトコンベア１４０２、撮影装置１４０３、Ｒ／Ｗ１４０４の操作を制御する操作部である。
【００９１】
図１４において、ベルトコンベア１４０２によって順次搬送される対象物１１０ａ〜ｅが所定の位置（投入口１４０１の直前の位置）に到達した際（図１４においては対象物１１０ａが所定位置に到達している）、撮影装置１４０３でその外観が撮影されるとともに、Ｒ／Ｗ１４０４によって、対象物１１０ａに設けられているＲＦＩＤタグ１１１に記録されている情報が読み取られる。その後、対象物１１０ａは、ベルトコンベア１４０２から外れ、自重により投入口１４０１へ落下することによって、投入すなわち廃棄が完了する。対象物１１０ｂ以下も同様である。
【００９２】
撮影装置１４０３によって撮影された画像は、図１５に示した表示部１５０１に表示される。その画像を見ながら、あるいはそれとは別に、操作部１５０１によって、ベルトコンベア１４０２の操作をすることができる。たとえば、表示部１５０２に表示された画像に異常がある場合、撮影が適切におこなわれていない場合などに、操作者は、操作部１５０２の所定のボタンによって、ベルトコンベア１４０２を停止させることができる。
【００９３】
また、撮影装置１４０３によって撮影された画像は、Ｒ／Ｗ１４０４によって読み取られたＲＦＩＤタグ１１１の情報と関連付けして記憶されるため、当該対象物１１０の履歴情報と画像情報とを保管することができ、当該対象物１１０が確実に廃棄されたことの証明の際に利用することができる。
【００９４】
以上説明したように、本実施の形態によれば、対象物１１０の重量を計量する計量部３０１と、対象物１１０に設けられたＲＦＩＤタグ１１１に記録された対象物１１０に関する情報であって、対象物１１０の重量に関する情報を含む情報を取得する対象物情報取得部３０２と、計量部３０１によって計量された重量と、対象物情報取得部３０２によって取得された情報にかかる重量とを比較する重量比較部３０３と、重量比較部３０３によって比較された結果に基づいて、対象物１１０の適正を判断する適正判断部３０４と、を備えたため、効率的かつ確実に対象物１１０の重量管理をおこなうことができる。。
【００９５】
特に対象物１１０が梱包されたまたは所定の容器に収納された産業廃棄物の場合に、産業廃棄物の排出場所と処理場１０４での重量管理を徹底することができ、不法投棄の抑制を図ることができる。より具体的には、重量情報を運搬業者、処理業者に示さず、排出企業において管理することができ、これによって、計量して中身を同重量のものにすり替えるという手間をかけない限り、不法投棄を抑制することができる。
【００９６】
また、適正判断部３０４によって判断された結果に関する情報を、ＲＦＩＤタグ１１１に記録する記録部３０５を備えるため、サーバ１０１などに問い合わせることなく、対象物１１０から即座に当該対象物１１０の適正情報を確認することができる。
【００９７】
また、計量部３０１によって対象物１１０の重量が計量された場所に関する情報を取得する計量場所情報取得部を備え、記録部３０５が、計量場所情報取得部によって取得された場所に関する情報を対象物１１０に設けられたＲＦＩＤタグ１１１に記録するため、正規におこなわれるべき計量場所で計量がなされたことを確認することができる。
【００９８】
また、適正判断部３０４によって判断された結果に関する情報を、対象物情報取得３０２によって取得された情報に関連付けして記憶する記憶部３０６と、記憶部３０６に記憶された情報を表示する表示部３０７と、当該情報を出力する出力部３０８と、当該情報を所定の情報処理装置（サーバ１０１）へ送信する送信部３０９と、を備えたため、現場の担当者（作業者）に対象物１１０の計量に関する情報を知らしめることができる。ただし、不正を防止するため、あえて現場の担当者（作業者）に知らしめない方がよい場合もある。
【００９９】
また、記録媒体に出力することで、バッチ処理によって、サーバ１０１へ計量に関する情報を入力することができ、通信を用いて、サーバ１０１へ計量に関する情報を入力することもできる（オンライン処理）。これによって、計量に関する情報をサーバ１０１において一括管理することができる。
【０１００】
また、本実施の形態によれば、対象物の外観、特に廃棄処理される直前の外観を撮影する外観撮影部３１０と、外観撮影部３１０によって対象物１１０の外観が撮影された日時に関する情報を取得する撮影日時情報取得部３１１と、対象物１１０に設けられたＲＦＩＤタグ１１１に記録された対象物１１０に関する情報を取得する対象物情報取得部３０２と、外観撮影部３１０によって撮影された前記対象物の外観に関する画像情報と、撮影日時情報取得部３１１によって取得された日時に関する情報とを、対象物情報取得部３０２によって取得された情報に関連付けて記憶する記憶部３０６を備えるため、記憶された画像情報を用いることで、当該対象物１１０が確実に最終処分されたことを後から証明することができる。
【０１０１】
また、記憶部３０６によって記憶された情報を所定の情報処理装置（サーバ１０１など）へ送信する送信部３０９を備えているため、所定の情報処理装置において、最終処分に関する画像情報を一元管理することができる。
【０１０２】
また、対象物の重量を計量する、図示を省略する計量手段と有線または無線によって接続され、その計量手段によって計量された対象物１１０の重量に関する情報を、有線または無線を介して取得する計量情報取得部８０１と、対象物１１０に設けられたＲＦＩＤタグ１１１に記録された対象物１１０に関する情報であって、対象物１１０の重量に関する情報を含む情報を取得する対象物情報取得部３０２と、を備え、重量比較部３０３が、計量情報取得部８０１によって取得された重量と、対象物情報取得部３０２によって取得された情報にかかる重量とを比較し、適正判断部３０４が、重量比較部３０３によって比較された結果に基づいて、対象物１１０の適正を判断するようにしてもよい。これによって、既存の計量手段（計量装置）を用いることができる。
【０１０３】
また、対象物１１０の外観を撮影する外観撮影手段と有線または無線によって接続され、その撮影手段によって撮影された対象物１１０の外観に関する画像情報を、有線または無線を介して取得する画像情報取得部８０２と、上記外観撮影手段撮影手段によって対象物１１０の外観が撮影された日時に関する情報を取得する撮影日時情報取得部３１１と、対象物に設けられたＲＦＩＤタグ１１１に記録された対象物に関する情報を取得する対象物情報取得部３０２と、を備え、記憶部３０６が、画像情報取得部３０２によって取得された画像情報と、撮影日時情報取得部３１１によって取得された日時に関する情報とを、対象物情報取得部３０２によって取得された情報に関連付けて記憶するようにしてもよい。これによって、既存の外観撮影装置（カメラ）を用いることができる。
【０１０４】
なお、本実施の形態で説明した廃棄処理管理方法は、あらかじめ用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１０５】
以上のように、本発明にかかる廃棄処理管理装置、廃棄処理管理方法および廃棄処理管理プログラムは、物品の流通、運搬、廃棄の際の物品の重量の管理をおこなうシステムに用いるのに適している。
【図面の簡単な説明】
【０１０６】
【図１】本発明の実施の形態にかかる廃棄処理管理システムの概要を示すブロック図である。
【図２】本実施の形態にかかる廃棄処理管理装置のハードウエア構成を示すブロック図である。
【図３】本実施の形態にかかる廃棄処理管理装置の機能的構成の一例を示すブロック図である。
【図４】本実施の形態にかかる廃棄処理管理装置の記憶部に記憶されるデータ構成の一例を示す説明図である。
【図５】ＲＦＩＤタグに記録されるデータ構成の一例を示す説明図である。
【図６】本実施の形態にかかる廃棄処理管理装置の処理の手順を示すフローチャートである。
【図７】本実施の形態にかかる廃棄処理管理装置の処理の別の手順を示すフローチャートである。
【図８】本実施の形態にかかる廃棄処理管理装置の機能的構成の別の一例を示すブロック図である。
【図９】本実施の形態にかかる廃棄処理管理装置の処理の別の手順を示すフローチャートである。
【図１０】本実施の形態にかかる廃棄処理管理装置の外観の一例を示す説明図である。
【図１１】本実施の形態にかかる廃棄処理管理装置の外観の別の一例を示す説明図である。
【図１２】本実施の形態にかかる廃棄処理管理装置の外観の別の一例を示す説明図である。
【図１３】図１２で示した廃棄処理管理装置の使用形態の一例を示す説明図である。
【図１４】本実施の形態にかかる廃棄処理管理装置の外観の別の一例を示す説明図である。
【図１５】本実施の形態にかかる廃棄処理管理装置の外観の別の一例を示す説明図である。
【符号の説明】
【０１０７】
１００  ネットワーク
１０１  サーバ
１０２ａ，１０２ｂ，１０２ｃ  廃棄処理管理装置
１０３  運搬車両
１０４  処理場
１１０  対象物（梱包されたまたは容器に収容された廃棄物）
１１１  ＲＦＩＤタグ
３０１  計量部
３０２  対象物情報取得部
３０３  重量比較部
３０４  適正判断部
３０５  記録部
３０６  記憶部
３０７  表示部
３０８  出力部
３０９  送信部
３５１  対象物載置部
３５２  対象物つり下げ部
８０１  計量情報取得部
８０２  画像情報取得部
１００１  荷台面
１００２  Ｒ／Ｗ
１００３  Ｒ／Ｗ支持部
１００４  表示画面
１００５  操作ボタン
１１０１  取手部
１１０２  フック
１１０３  バネ部材
１１０４  内蔵Ｒ／Ｗ
１２０１  Ｒ／Ｗ
１２０２  表示画面
１４０１  最終処分装置の投入口
１４０２  ベルトコンベア
１４０３  撮影装置
１４０４  Ｒ／Ｗ
【図１】
2006076716.tif 000003
【図２】
2006076716.tif 000004
【図３】
2006076716.tif 000005
【図４】
2006076716.tif 000006
【図５】
2006076716.tif 000007
【図６】
2006076716.tif 000008
【図７】
2006076716.tif 000009
【図８】
2006076716.tif 000010
【図９】
2006076716.tif 000011
【図１０】
2006076716.tif 000012
【図１１】
2006076716.tif 000013
【図１２】
2006076716.tif 000014
【図１３】
2006076716.tif 000015
【図１４】
2006076716.tif 000016
【図１５】
2006076716.tif 000017